(57)【特許請求の範囲】
【請求項１】
負極構成部材と、正極構成部材と、これら負極構成部材と正極構成部材との間に接続配置された導電性部材とを備え、前記負極構成部材と前記正極構成部材とを生体に接触させることにより、生体と負極構成部材及び正極構成部材との間に通電回路を形成してなり、
前記負極構成部材と正極構成部材とは、それぞれ皮膚に接触する皮膚接触面とともにこの皮膚接触面と対向する面に形成された対向面を有し、
前記負極構成部材の対向面と前記正極構成部材の対向面との間に前記導電性部材を橋渡し接続することにより、負極構成部材と正極構成部材とを電気的に接続している生体電池治療具であって、
基片と、この基片の一端部から立ち上がる立上片とを備えた略L字状をなし、前記基片の皮膚接触面側に前記負極構成部材を配置し、前記立上片の皮膚接触面側の先端部に前記正極構成部材を配置していることを特徴とする生体電池治療具。
【請求項２】
前記負極構成部材の対向面と前記正極構成部材の対向面との間に橋渡し接続される導電性部材は、前記負極構成部材の皮膚接触面と対向する面側において、正極構成部材から最も距離が長い箇所を起点とし、この起点から正極構成部材まで配置されていることを特徴とする請求項１に記載の生体電池治療具。
【請求項３】
前記導電性部材は、少なくとも前記負極構成部材の皮膚接触面側の全面に被覆形成されていることを特徴とする請求項１に記載の生体電池治療具。
【請求項４】
前記負極構成部材と正極構成部材とは離間対向して配置されていることを特徴とする請求項１乃至３のいずれか１項に記載の生体電池治療具。
【請求項５】
前記負極構成部材と正極構成部材とは互いに接して配置されていることを特徴とする請求項１乃至３のいずれか１項に記載の生体電池治療具。
【請求項６】
前記導電性部材は、正極構成部材と負極構成部材とに接触する領域を除き、皮膚と対向する面の表面に、電気絶縁層が被覆形成されており、この電気絶縁層により導電性部材と皮膚との接触を遮断していることを特徴とする請求項１乃至５のいずれか１項に記載の生体電池治療具。
【請求項７】
正極構成部材と導電性部材とは異質の材料で構成されていることを特徴とする請求項１乃至６のいずれか１項に記載の生体電池治療具。
【請求項８】
前記負極構成部材は、バインダに金属粉を混入した構成を有し、前記正極構成部材は貴金属粉末を含む構成又はカーボンを含む構成を有し、導電性部材はカーボンを混入した導電ゴムからなる構成を有することを特徴とする請求項７に記載の生体電池治療具。
【請求項９】
負極構成部材は亜鉛で構成され、正極構成部材は貴金属又はカーボンで構成されていることを特徴とする請求項７に記載の生体電池治療具。
【請求項１０】
亜鉛で構成される負極構成部材は、金属亜鉛、酸化亜鉛、亜鉛合金、亜鉛メッキにより亜鉛を被覆した材料、亜鉛蒸着により亜鉛を被覆した材料、及び亜鉛スパッタリングにより亜鉛を被覆した材料から選択された１種又は２種以上であり、
貴金属で構成される正極構成部材は、貴金属、貴金属入りシリコン、貴金属めっきした材料、貴金属蒸着をした材料、貴金属スパッタリングをした材料から選択された１種又は２種以上であることを特徴とする請求項９に記載の生体電池治療具。  
【請求項１１】
正極構成部材と導電性部材とは同質の材料で構成されていることを特徴とする請求項１乃至６のいずれか１項に記載の生体電池治療具。
【請求項１２】
負極構成部材は、バインダに金属粉を混入した構成を有し、正極構成部材及び導電性部材はいずれも導電ゴムからなることを特徴とする請求項１１に記載の生体電池治療具。
【請求項１３】
導電ゴムは、カーボンを混入していることを特徴とする請求項１２に記載の生体電池治療具。
【請求項１４】
前記立上片は、伸縮可能なスプリング部を備えていることを特徴とする請求項１乃至１３のいずれか１項に記載の生体電池治療具。
【請求項１５】
前記基片は、前記立上片よりも、その幅が広いことを特徴とする請求項１乃至１４のいずれか１項に記載の生体電池治療具。
【請求項１６】
基片と基片の一端部から立ち上がる立上片とを備えた略Ｌ字状の生体電池治療具は、
前記基片の皮膚接触面側に負極構成部材取付領域を有し、前記立上片の皮膚接触面側の先端部に正極構成部材取付領域を有する略Ｌ字状の導電性部材と、
前記基片の負極構成部材取付領域に取付けられた負極構成部材と、
前記立上片の正極構成部材取付領域に取付けられた正極構成部材と、
前記導電性部材の負極構成部材及び正極構成部材を取り付ける面側において、正極構成部材取付領域及び負極構成部材取付領域を除く領域に被覆形成された第一の絶縁層と、
前記導電性部材の負極構成部材及び正極構成部材を取り付ける面と対向する面の領域に被覆形成された第二の絶縁層とを備えてなることを特徴とする請求項１乃至１５のいずれか１項に記載の生体電池治療具。
【請求項１７】
第一及び第二の絶縁層はシリコン印刷で形成され、導電性部材はカーボンシートで形成され、負極構成部材は亜鉛シートで構成され、正極構成部材は、貴金属、貴金属入りのシリコン、貴金属めっきした部材、貴金属粉を混在したバインダ及びカーボンから選択された１種又は２種以上で形成されていることを特徴とする請求項１６に記載の生体電池治療具。
【請求項１８】
負極構成部材は、着脱可能に取付けられていることを特徴とする請求項１６又は１７に記載の生体電池治療具。
【請求項１９】
負極構成部材は、その長さが１０〜２００ｍｍ、その厚さが１５０μｍ以下、「負極構成部材の長さ／負極構成部材の厚さ」が１以上であることを特徴とする請求項１乃至１８のいずれか１項に記載の生体電池治療具。
【請求項２０】
負極構成部材は、「負極構成部材の長さ／負極構成部材の厚さ」が１００以上であることを特徴とする請求項１９に記載の生体電池治療具。
【発明の詳細な説明】
【技術分野】
【０００１】
この発明は、生体電池治療具、詳しくは、皮膚に接した状態で使用され、微弱な直流起電力の皮下組織への通電刺激により対象部位の処置を行う生体電池治療具に関する。
【背景技術】
【０００２】
近年、慢性的な肩こりや腰痛に悩まされる患者が増加しており、これまでに家庭用治療具として、パップ剤、温灸、金属粒、磁気治療具、低周波治療器などが多数市販されている。これらの治療具は、種々の原理によって患部の血行を促進し、局部的に滞留した老廃物を浄化する効果を示すものである。
【０００３】
本発明者らは、先に、通電刺激によって筋肉および神経の疲労を癒す生体電池治療具を提案した（特許文献１、2参照）。当該生体電池治療具は、皮膚に接触したときに生体電池を形成して直流電流を与えるものであり、家庭用治療具としての治療効果を有する優れた治療具であることが実証されている。
【０００４】
しかしながら、これらの家庭用治療具は、改良すべき以下の問題点を有している。
以下、先に提案した生体電池治療具の構成を図１に模式的に示し、改良すべき問題点を説明する。図中、符号１は負極（例えば金属粉をバインダに混在させたもの）、２は正極（例えば貴金属或はバインダに貴金属を混在させたもの）、３はイオン化傾向を有しない物質、からなる導電性部材（例えばカーボン）を示し、この導電性部材３は負極１と正極２との間に介在されている。
この種の生体電池治療具は、負極1を長く形成して、負極成分がイオン化することにより生じた電流が正極に多量に流れるようにしている。しかし、亜鉛などの金属粉をバインダに混入させた構成の負極は、その電気抵抗値（体積抵抗値）が最低でも1メグΩ・ｃｍ〜２メグΩ・ｃｍという高抵抗のため、導電性部材に到達するまでの距離が長くなり、正極に到達することが実質的に困難である。その結果、効率のよい生体電池治療具を得難かった。
【先行技術文献】
【特許文献】
【０００５】
【特許文献１】特許第6168639号公報
【特許文献２】特許第6153259号公報
【発明の概要】
【発明が解決しようとする課題】
【０００６】
本件発明者らは、この課題を解決するために検討し、この種の生体電池治療具は、負極が生体に接触する面とその面と対向する面との間の厚さが極めて薄いことに着目し、負極のうち生体に接触する面と対向する面に導電性部材を配置し、この様に配置された導電性部材を介して正極に電流を伝達するようにするようにした。このことにより、イオンが負極構成部材の長さ方向ではなく、距離の短い負極構成部材の厚さ方向から導電性部材に到達するようにした。その結果、イオンが負極を通る距離を極めて短く抑えることができ、もって、負極構成部材の電気抵抗値が高くても、この種の生体電池治療具の治療効果を有効に発揮できるようになることを見出し、本発明を完成するに至った。
【０００７】
本発明は、上記の知見に基づいてなされたもので、電気抵抗値が高い負極構成部材を長く形成して、負極から正極に至るまでの距離が長い生体電池治療具であっても、負極構成部材の皮膚接触面と対向する表面側（即ち、皮膚と接触しない面側）に導電性部材を配置、形成することにより、イオン化した負極構成物質が導電性部材に到達するまでに必要な距離を短くし、そのことにより、負極から正極構成部材まで距離が長くても、イオンが正極に効率よく到達することができる生体電池治療具を提案するものである。
【課題を解決するための手段】
【０００８】
そして、本発明は上記課題を解決するために以下の構成を備えている。
（１）負極構成部材と、正極構成部材と、これら負極構成部材と正極構成部材との間に接続配置された導電性部材とを備え、前記負極構成部材と前記正極構成部材とを生体に接触させることにより、生体と負極構成部材及び正極構成部材との間に通電回路を形成してなり、
前記負極構成部材と正極構成部材とは、それぞれ皮膚に接触する皮膚接触面とともにこの皮膚接触面と対向する面に形成された対向面を有し、
前記負極構成部材の対向面と前記正極構成部材の対向面との間に前記導電性部材を橋渡し接続することにより、負極構成部材と正極構成部材とを電気的に接続している生体電池治療具であって、
基片と、この基片の一端部から立ち上がる立上片とを備えた略L字状をなし、前記基片の皮膚接触面側に前記負極構成部材を配置し、前記立上片の皮膚接触面側の先端部に前記正極構成部材を配置していることを特徴とする生体電池治療具。
（２）前記負極構成部材の対向面と前記正極構成部材の対向面との間に橋渡し接続される導電性部材は、前記負極構成部材の皮膚接触面と対向する面側において、正極構成部材から最も距離が長い箇所を起点とし、この起点から正極構成部材まで配置されていることを特徴とする（１）に記載の生体電池治療具。
（３）前記導電性部材は、少なくとも前記負極構成部材の皮膚接触面側の全面に被覆形成されていることを特徴とする（１）に記載の生体電池治療具。
（４）前記負極構成部材と正極構成部材とは離間対向して配置されていることを特徴とする（１）乃至（３）のいずれかに記載の生体電池治療具。
（５）前記負極構成部材と正極構成部材とは互いに接して配置されていることを特徴とする請求項（１）乃至（３）のいずれかに記載の生体電池治療具。
（６）前記導電性部材は、正極構成部材と負極構成部材とに接触する領域を除き、皮膚と対向する面の表面に、電気絶縁層が被覆形成されており、この電気絶縁層により導電性部材と皮膚との接触を遮断していることを特徴とする請求項（１）乃至（５）のいずれかに記載の生体電池治療具。
（７） 正極構成部材と導電性部材とは異質の材料で構成されていることを特徴とする（１）乃至（６）のいずれかに記載の生体電池治療具。
（８）前記負極構成部材は、バインダに金属粉を混入した構成を有し、前記正極構成部材は貴金属粉末を含む構成又はカーボンを含む構成を有し、導電性部材はカーボンを混入した導電ゴムからなる構成を有することを特徴とする（７）に記載の生体電池治療具。
（９）負極構成部材は亜鉛で構成され、正極構成部材は貴金属又はカーボンで構成されていることを特徴とする（７）に記載の生体電池治療具。
（１０）亜鉛で構成される負極構成部材は、金属亜鉛、酸化亜鉛、亜鉛合金、亜鉛メッキにより亜鉛を被覆した材料、亜鉛蒸着により亜鉛を被覆した材料、及び亜鉛スパッタリングにより亜鉛を被覆した材料から選択された１種又は２種以上であり、
貴金属で構成される正極構成部材は、貴金属、貴金属入りシリコン、貴金属めっきした材料、貴金属蒸着をした材料、貴金属スパッタリングをした材料から選択された１種又は２種以上であることを特徴とする（９）に記載の生体電池治療具。  
（１１）正極構成部材と導電性部材とは同質の材料で構成されていることを特徴とする（１）乃至（６）のいずれかに記載の生体電池治療具。
（１２）負極構成部材は、バインダに金属粉を混入した構成を有し、正極構成部材及び導電性部材はいずれも導電ゴムからなることを特徴とする（１１）に記載の生体電池治療具。
（１３） 導電ゴムは、カーボンを混入していることを特徴とする（１２）に記載の生体電池治療具。
（１４）前記立上片は、伸縮可能なスプリング部を備えていることを特徴とする（１）乃至（１３）のいずれかに記載の生体電池治療具。
（１５）前記基片は、前記立上片よりも、その幅が広いことを特徴とする（１）乃至(１４)のいずれかに記載の生体電池治療具。
（１６）基片と基片の一端部から立ち上がる立上片とを備えた略Ｌ字状の生体電池治療具は、
前記基片の皮膚接触面側に負極構成部材取付領域を有し、前記立上片の皮膚接触面側の先端部に正極構成部材取付領域を有する略Ｌ字状の導電性部材と、
前記基片の負極構成部材取付領域に取付けられた負極構成部材と、
前記立上片の正極構成部材取付領域に取付けられた正極構成部材と、
前記導電性部材の負極構成部材及び正極構成部材を取り付ける面側において、正極構成部材取付領域及び負極構成部材取付領域を除く領域に被覆形成された第一の絶縁層と、
前記導電性部材の負極構成部材及び正極構成部材を取り付ける面と対向する面の領域に被覆形成された第二の絶縁層とを備えてなることを特徴とする（１）乃至（１５）のいずれかに記載の生体電池治療具。
（１７）第一及び第二の絶縁層はシリコン印刷で形成され、導電性部材はカーボンシートで形成され、負極構成部材は亜鉛シートで構成され、正極構成部材は、貴金属、貴金属入りのシリコン、貴金属めっきした部材、及び貴金属粉を混在したバインダ及びカーボンから選択された１種又は２種以上で形成されていることを特徴とする（１６）に記載の生体電池治療具。
（１８）負極構成部材は、着脱可能に取付けられていることを特徴とする（１６）又は（１７）に記載の生体電池治療具。
（１９）負極構成部材は、その長さが１０〜２００ｍｍ、その厚さが１５０μｍ以下、「負極構成部材の長さ／負極構成部材の厚さ」が１以上であることを特徴とする（１）乃至（１８）のいずれかに記載の生体電池治療具。
（２０）負極構成部材は、「負極構成部材の長さ／負極構成部材の厚さ」が１００以上であることを特徴とする（１９）に記載の生体電池治療具。
【０００９】
なお、本発明において、「負極構成部材の厚さ」とは、図２を参照すれば、負極構成部材11の上下方向の厚さを言い、本発明に係る生体電池治療具では、「負極構成部材の厚さ方向」に電流が流れる。
また、「負極構成部材の長さ」とは、図２を参照すれば、負極構成部材１の横方向の長さを言い、図１に示す如き従来型の（負極と正極との間に導電性部材が介在されている構成の）生体電池治療具では、「負極構成部材の長さ」方向に電流が流れる。
「略L字状」とは、基片と、この基片の一端部から立ち上がる立上片とを具備する構成を言い、その向きは問わない。また、略Ｌ字状を構成する部分とともに他の部分を備えている生体電池治療具も包含する。
負極構成部材とは、負極を構成する成分が含まれていて、負極として機能する部材を意味し、正極構成部材は、正極を構成する成分が含まれていて、正極として機能する部材を意味する。
【００１０】
まず、図２の模式図に基づいて本発明の基本概念を説明する。
図２（ａ）中、11は負極構成部材、12は正極構成部材、13は負極構成部材と正極構成部材とを電気的に接続する導電性部材を示し、図中、上面が皮膚接触面側を示し、下面が皮膚接触面側と対向する面（以下、対向面と称する）を示す。
負極構成部材11と正極構成部材12とは互いに離間して配置され、負極構成部材11と正極構成部材12との対向面側には、導電性部材13が橋渡しされて配置されている。
なお、図２では、負極構成部材11と正極構成部材12とは互いに離間して配置されているが、本発明は、負極構成部材11と正極構成部材12とを接触させた構成とすることも可能である。何故なら、この種の生体電池治療具は、例えば、負極構成部材11の電気抵抗が１〜２MΩ程度、導電性部材１３の電気抵抗値が１〜５０Ω程度である。
このため、負極構成部材11と正極構成部材12とを接触させても、負極構成部材11の電気抵抗値が高いために、負極構成部材11で生じたイオンは実質的に負極構成部材11から（電気抵抗値の低い）導電性部材13を介して正極構成部材12に移動するためである。
【００１１】
ここで負極構成部材11は、この部材に含まれる負極成分が、正極構成部材12に含まれる正極成分と比較してイオン化傾向が大きい成分を意味する。負極を構成する負極成分は特に限定されるものではないが、実用性の高い材料として、例えば亜鉛が挙げられる。  
【００１２】
正極構成部材12は、この部材に含まれる正極成分が、負極構成部材11に含まれる負極成分に対して、それよりもイオン化傾向が小さい部材を意味する。正極を構成する正極成分は特に限定されるものではないが、実用性の高い材料として、特に貴金属が挙げられる。発明に係る「貴金属」とは、少なくとも表面領域がメッキなどにより貴金属で覆われているものや陽樹脂などを含む。例えば、銀コート銅粉等も本発明に係る貴金属に該当する。
なお、正極構成部材12をカーボンで形成することも可能であるので、後述するように、正極構成部材12を導電性部材13と共通する材質とすることも可能である（図２（ｂ）参照）。
【００１３】
次に、導電性部材13とは、「導電性を有するが、材料自体が生体電池の正極や負極を構成しない材料からなる部材又はこの材料を含む部材」更には「導電性を有し、材料自体は生体電池の正極や負極を構成しうる材料であるが、実質的に皮膚に接触しないため、生体電池の正極や負極を構成しない部材」を意味する。
導電性部材13の材料は特に限定されるものではないが、実用性の高い材料として、特にカーボンや導電性ポリマー等が挙げられる。カーボンの場合、通常、例えば、カーボン塗料、バインダ、印刷などにより形成される。また、ゲル状の導電性ポリマーを適用すれば、それ自体に接着効果があり、粘着剤、バインダ，フィラー等と組み合わせる必要がなくなる。
【００１４】
本発明において、導電性部材における「導電性を有する」とは、下式で求められる電気抵抗Ｒ［Ω］
Ｒ＝ρ・Ｌ／Ａ（Ｒ：電気抵抗、Ｌ：長さ［ｍ］、Ａ：断面積［ｍ２］）
における電気抵抗率ρ［Ωｍ］が、好ましくは１Ωｍ以下、より好ましくは、１０■２Ωｍ以下、特に好ましくは１０■４Ωｍ以下が望ましく、特に、金属を含有させれば、この部材を１０■５■１０■８Ωｍとすることもできる。ちなみに、人の皮膚の電気抵抗率ρは、約５．０×１０５Ωｍである。
【００１５】
また、前述したが、図２（ｂ）に示すように、本発明では導電性部材13を構成するカーボンと同じ材料で正極12を構成することが可能である。このことから、図２（ｂ）では、正極構成部材12と導電性部材13とは、両者を区別するために異なる符号を用いているものの、ハッチングを共通化している。
【００１６】
また、本明細書において、「皮膚」とは、広い意味での生体（人体や動物等）の皮膚、粘膜等を意味し、本発明に係る生体電池治療具の装着可能な領域を意味している。  
【発明の効果】
【００１７】
本発明に係る生体電池治療具によれば、負極構成部材から正極構成部材に流れる経路を形成する導電性部材を皮膚接触面（負極構成部材と正極構成部材とが皮膚に接触する面）と対向する表面側（本発明では「対向面」と称する）に形成している。このため電気抵抗率の高い素材を用いて負極構成部材を長く形成しても、イオン化した負極構成物質による電子（電流）は、対向面に形成された導電性部材を通ることができる。このため、電子（電流）は、導電性部材に到達するに必要な距離を極めて短くすることができる。その結果、負極が長く形成されて、負極から正極まで距離が実質的に長い生体電池治療具であっても、電子（電流）がこの導電性部材を通って正極に効率よく到達することができる。
更に詳しく説明すれば、この種の生体電池治療具は、使用方法等により若干異なるが、負極構成部材が極めて薄く形成されており（例えば、１５０μｍ以下、１００μｍ以下、５０μｍ以下、１０μｍ以下、好ましくは５〜１０μｍ）、イオン化した負極構成物質が導電性部材に到達する距離は、最大でも負極構成部材の厚さ分の極めて短い距離であり、負極構成部材の長さと比較にならないくらい短い。この結果、電気抵抗率の高い負極構成部材による悪影響を実質的に受けることはない。
【図面の簡単な説明】
【００１８】
【図１】従来の生体電池治療具の模式図である。
【図２】本発明の生体電池治療具の模式図で、（ａ）は正極部材と導電性部材とが異なる材質の事例、（ｂ）は正極部材が導電性部材と同一材質（カーボン）の事例を示す。
【図３】本発明に係る第１の実施例の生体電池治療具を、その製造工程と共に示した模式図である。
【図４】（ａ）は本発明に係る第２の実施例の生体電池治療具、（ｂ）は第３の実施例の生体電池治療具、（ｃ）は第２、第３の実施例のイオン電流帯を示す説明図である。
【図５】本発明に係る第２の実施例の生体電池治療具の展開斜視図である。
【図６】本発明に係るさらに異なるＨ形状の生体電池治療具の製造工程を示す説明図である。
【図７】本発明に係るさらに異なる円形状の生体電池治療具の製造工程を示す説明図である。
【発明を実施するための形態】
【００１９】
以下本発明の実施例を説明する。
なお、これら実施例の生体電池治療具における、カーボン層の印刷膜厚は、断面実測値で１０μｍ、同抵抗値（表面抵抗値）は４０Ω、亜鉛層印刷膜厚は、断面実測値で２０μｍ、塗布された亜鉛混シリコン中の亜鉛重量もしくは重量比は、計算上、亜鉛1.349ｇ  ＳＩインク0.193ｇである。
【００２０】
（第１の実施例）
図３は、第1の実施例であるシート状の生体電池治療具の製造工程を示した概略説明図である。
（１）まず、図３の最上部の図に示すように、カーボンシリコンシート23（導電性部材）を用意する。
（２）次いで、図３の上から２番面の図（図の表面側は皮膚と接触する面側）に示すように、皮膚と接触する面側において、カーボンシリコンシート23の上から亜鉛シリコン21（負極構成部材）を印刷する。この場合、残りはカーボンシリコンシート23（導電性部材）を露出したままとする。
（３）次に、図３の上から３番面の図（図の表面側は皮膚と接触する面と対向する面側）に示すように、カーボンシリコンシート23（導電性部材）の皮膚と接触する面と対向する面において、その全面に普通シリコン24（絶縁層）を塗布印刷する。
（４）この後、図３の最下部の図（図の表面側は皮膚と接触する面側）に示すように、カーボンシリコンシート23（導電性部材）が露出している面（図３の２番目の図の上辺部）に貴金属シリコン22（正極構成部材）を塗布印刷する。
【００２１】
このように構成された生体電池治療具は、亜鉛シリコン21（負極構成部材）と貴金属シリコン22（正極構成部材）が形成されている面（図３の最下部の図における表面側）を皮膚に接触させることにより、負極構成物質からのイオンが、皮膚と接触する面と対向する面にある電気抵抗の低いカーボンシリコンシート層（導電性部材）を通って効率よく陽極構成部材に流れる。この結果、生体電池治療具の正極構成物質と負極構成物質とが接触する皮膚に有効に電流が流れ、生体電池治療具の目的が効率よく達成される。
【００２２】
なお、この実施例では、亜鉛シリコン21（負極構成部材）と貴金属シリコン22（正極構成部材）とが直接接触しているが、亜鉛シリコン21（負極構成部材）の電気抵抗値が高いため、負極構成物質からのイオンは、実質的に、皮膚と接触する面と対向する面にある電気抵抗の低いカーボンシリコンシート層23（導電性部材）を通って正極構成部材22に流れる。
【００２３】
（第２の実施例）
図４（ａ）は、基片41と基片の一端部から立ち上げられた立上片42とを備えた略L字状の生体電池治療具の一例を示す。この生体電池治療具は、顔、特に筋肉の動きの少ない目尻用等に有効な治療具であり、この図の表面側が皮膚接触面を示す。この生体電池治療具は、幅広の基片41と基片41の一端より立上げられた幅狭の立上片42とを備えている。そして、図中31は、基片41に設けられた負極構成部材、32は立上片42の先端に設けられたボタン状の正極構成部材、35は絶縁層（第１の絶縁層）を示す。
【００２４】
図５は、図４（ａ）の生体電池治療具の分解斜視図を示す。この図において、33は略L字状の導電性部材を示し、33aが導電性部材の基片、33bが導電性部材の立上片を示す。この導電性部材33の図中左側（生体電池治療具における皮膚接触面と対向する表面側）に、この導電性部材33を被覆する略L字状の第２の絶縁層34が設けられている（基片34a, 立上片34b）。
また、導電性部材33の図中右側（生体電池治療具における皮膚接触面側）に、第1の絶縁層35が設けられ、この第1の絶縁層35により略L字状の導電性部材33の立上片33bを被覆している。ただし、この第１の絶縁層35は、導電性部材33の立上片33bの内、その先端（ここに正極構成部材32が取り付けられる箇所）には被覆されていない。
さらに、導電性部材33の図中右側（生体電池治療具における皮膚接触面側）に、負極構成部材31が設けられ、この負極構成部材31は略L字状の導電性部材33の基片33aの皮膚接触面側を被覆している。
また、導電性部材33の立上片33bの先端には、ボタン状の正極構成部材32が取り付けられている（図４（ａ）参照）。
【００２５】
このように構成された生体電池治療具は、負極構成部材31と正極構成部材32とを被覆に接触すると、負極構成部材31のイオン化した負極成分から生じた電子が導電性部材33を通って正極構成部材32に入り、所望の電流が皮膚内を通る。このため、負極構成部材31の電気抵抗値が高くても、薄肉の負極構成部材31を通って導電性部材33から正極構成部材32に電流が流れるので、負極構成部材31の高い電気抵抗値の問題を解消することができ、効率よく電流を流すことができる。
【００２６】
（第３の実施例）
図４（ｂ）は、略L字状の生体電池治療具の他の例を示し、顔、特に筋肉の動きの大きいほうれい線用等に有効な生体電池治療具を示す。
この生体電池治療具の基本的な構成及び作用効果は、図４（ａ）、図５の生体電池治療具と同じであるが、相違点は、立上片42の途中にスプリング部43を形成して、この立上片42が筋肉の動きに追従して弾性変形自在となっていることである。このように構成されていることにより、口角部が動かされても、生体電池治療具が対応して弾性変形し、その結果、発明の機能を有効に維持することができる。
【００２７】
図４（ｃ）は、略L字型の生体電池治療具を皮膚に接した時の、皮膚に流れる電流の流れる領域を示す概略図である。この図からわかるように生体電池治療具をL字状とすることにより、L字状の生体電池治療具に囲まれる広範囲のイオン電流帯を形成することができるという利点を有する。
【００２８】
（第４の実施例）
図６は、H形状の生体電池治療具の製造工程を示した説明図である。
製造工程順に説明すると、導電性部材及び正極構成部材を構成するH形状の導電性ゴム40を用意する。
次いで、H形状の導電性ゴム40の一方の片（図面の向かって左側の立片）に負極構成部材41を装着する。
次いで、H形状の導電性ゴム40の横片に絶縁層42を装着する。
そして、H形状の導電性ゴム40の他方の片（図面の向かって右側の立片）に、導電性ゴム40のうち皮膚と接触して正極構成部材43として機能すべき個所（図では２か所の円形領域）を除き絶縁層４２を追加装着する。
このことにより、本発明に係るH形状の生体電池治療具が得られる。
この生体電池治療具は、図面の表側が皮膚と接触する面であり、導電性ゴム40のうち、絶縁層42及び正極構成部材43で覆われている箇所が導電性部材として機能し、絶縁層42で覆われていない２か所の円形領域が正極構成部材43として機能する。
なお、図６中、カッコ内の符号は、図面の裏面側にある部材の符号を示す。
【００２９】
（第５の実施例）
図７は円盤形状の生体電池治療具の製造工程を示した説明図である。
製造工程順に説明すると、導電性部材及び正極構成部材を構成する円形状の導電性ゴム50を用意する。
次いで、導電性ゴム50の中央部分に負極構成部材51を装着する。
次ぎに、負極構成部材51の外周に絶縁層52を装着する。
そして、導電性ゴム50が露出している絶縁層52の外周のうち、導電性ゴム50が皮膚と接触して正極構成部材53として機能すべき箇所（図では４か所の円形領域）を除き絶縁層52を追加装着する。
このことにより、本発明に係る円盤形状の生体電池治療具が得られる。
この生体電池治療具は、図面の表側が皮膚と接触する面であり、導電性ゴム50のうち、絶縁層52及び正極構成部材53で覆われている箇所が導電性部材として機能し、絶縁層52で覆われていない４か所の円形領域が正極構成部材43として機能する。
なお、図６中、カッコ内の符号は、図面の裏面側にある部材の符号を示す。
【００３０】
なお、上述した実施例では、平板状、略Ｌ字状、Ｈ形状、円盤形状の生体電池治療具について説明したが、本発明はこれらの形状の生体電池治療具に特定されるものではなく、用途、適用する箇所などに応じて種々の形状の生体電池治療具を包含する。
【００３１】
ここで、負極構成部材は、正極構成部材の正極成分よりも低い標準単極電位を有するものであるが、負極成分として特に金属亜鉛が好適である。
【００３２】
また、正極構成部材を構成する正極成分は、負極成分よりも電極電位が高い金属であればよく、例えば、金（Ａｕ）銀（Ａｇ）、および白金族並びにその合金などであればよい。貴金属微粒子の粒径は特に限定されるものではないが、多数の生体電池ユニットを構成するという視点からは、より微粒の粒径が好ましいが、製造上の視点からはより粗粒の方が扱いやすい。両者の妥協を図るとすれば、例えば、平均粒径１ｎｍ■５０μｍの範囲、平均粒径２０ｎｍ■１５μｍ、平均粒径１０μｍ■１５μｍ、平均粒径２０ｎｍ■４０ｎｍなどの貴金属微粒子を用いることができる。ただし、本発明はこれらの微粒子に限定されるものではない。
【００３３】
また、上記実施例では、導電性部材としてカーボンを提示したが、カーボン以外の材料としては、例えば、グラファイト、塩の含有物、導電性高分子材料・導電性ポリマーなどが挙げられる。ゲル状の導電性ポリマーを用いれは、それ自体で接着効果を持つので、バインダ、粘着剤などを配合する必要がなく、好適である。導電性高分子材料の代表的な物質としてはポリアセチレン、ポリアニリン，ポリ（ｐ■フェニレンビニレン）、ポリピロール、ポリチオフェン、ポリアニリン、ポリ（ｐ■フェニレンスルフィド）、ＰＥＤＯＴ（ポリエチレンジオキシチオフェン）などが挙げられる。その他オリゴチオフェン等もある。実際の性質は導体というより半導体の性質も帯びたものもある。その他、金属を加工した所謂ITOも使用可能である。
ただし、これらの導電材料自体が加工もしくは合成または化合されたものであり、安価かつ安定的であるとは言い難い。その様な観点からカーボン（カーボンナノチューブ含む）が最も安価で安定しており、且つ人体に安全な材料といえる。
【産業上の利用可能性】
【００３４】
この発明により、電気抵抗値が高く、かつ、長さの長い負極構成部材を有する生体電池治療具であっても、発生したイオンを効率よく負極に流すことができ、その長さに伴った導通性を有する優れた電流刺激効果の得られる生体電池治療具が安価に提供される。
具体的には、電気抵抗値が体積抵抗値で１〜５０Ω・ｃｍ程度で、負極構成部材の長さが２０〜５０mm、負極構成部材の厚さが１５０μm以下、「負極構成部材の長さ／負極構成部材の厚さ」が１以上、好ましくは１００以上であるような場合に、本発明は特に有効に機能する。
その結果、この生体電池治療具は、血行を促進し、局部に滞留した老廃物を浄化することにより、肩こりおよび腰痛などの治療および予防、並びに美肌の維持、肌質の改善など美容の分野においても有効に使用することが可能である。
【符号の説明】
【００３５】
11，21，31，41，51…負極構成部材、亜鉛シリコン
12，22，32，43，53…正極構成部材、貴金属シリコン
13，23，33…導電性部材、カーボンシリコンシート
24，34（34a,34b），35，42，52…絶縁層、普通シリコン、第1、第２絶縁層
40，50…導電性ゴム
【要約】
【課題】負極か長尺でかつ高抵抗値であっても、電流が有効に流れ、その結果、皮接感がよく、優れた電流刺激効果の得られる生体電池治療具を提供する。
【解決手段】負極構成部材(11)と正極構成部材(12)とを導電性部材(13)に接続して、前記負極構成部材(11)と前記正極構成部材(12)とを皮膚に接触させることにより、皮膚内に通電回路を形成する生体電池治療具であって、前記導電性部材(13)は、前記負極構成部材(11)の皮膚接触面と対向する面と、正極構成部材(12)の皮膚接触面と対向する面との間において、負極構成部材(11)と正極構成部材(12)とを橋渡接続している。
【選択図】図２【図１】
0006725124.tif 000002
【図２】
0006725124.tif 000003
【図３】
0006725124.tif 000004
【図４】
0006725124.tif 000005
【図５】
0006725124.tif 000006
【図６】
0006725124.tif 000007
【図７】
0006725124.tif 000008